(57)【要約】【課題】文字板の読み取り性に優れたアナログ腕時計を提供すること。【解決手段】時刻モード、電波モードなどの複数種目のモードの中の一種目のモードがユーザ又は自動で選択された際に、ユーザ又は自動で選択された一種目のモードに対応するモード指標部２０Ａ、２０Ｂ、２０Ｃを点灯させるとともに、点灯したモード指標部２０Ａ、２０Ｂ、２０Ｃに対応するモードに関連する細目情報をインジケータ針１０ａにて指示させ、ユーザがどの細目表示を読めば良いかを直ぐに判断できるようにする。【選択図】図１
2011163857.tif 000002
【特許請求の範囲】
【請求項１】
複数種目のモードの中で現在どの種目のモードにあるかを表示するためのモード指標部が設けられ、該モード指標部の中又は脇に、該モード指標部に対応するモードに関連する細目情報が表記されている文字板と、
前記複数種目のモードにそれぞれ対応するモード指標部を種目毎に点灯可能に構成された照明手段と、
所定の軸を中心に回転可能に構成され前記細目情報を指示するためのインジケータ針と、
前記インジケータ針を回転させるインジケータ針駆動手段と、
前記複数種目のモードの中の一種目のモードがユーザ又は自動で選択された際に、前記照明手段を制御して、ユーザ又は自動で選択された一種目のモードに対応する前記モード指標部を点灯させるとともに、前記インジケータ針駆動手段を制御して、前記点灯したモード指標部に対応するモードに関連する前記細目情報を前記インジケータ針にて指示させる制御手段と、
を備えることを特徴とするアナログ腕時計。
【請求項２】
前記制御手段は、前記複数種目のモードの中のモードがユーザ又は自動で選択された際に、前記照明手段及び前記インジケータ針駆動手段を制御して、選択されたモードに対応する前記モード指標部として前記細目情報を点灯させるとともに、該細目情報の中の１つを前記インジケータ針に指示させることを特徴とする請求項１に記載のアナログ腕時計。
【請求項３】
前記文字板は、前記モード指標部が設けられている箇所が透明部分となっており、前記照明手段は、前記透明部分の裏側に設けられていることを特徴とする請求項１又は請求項２に記載のアナログ腕時計。
【請求項４】
前記モードは時刻モードであり、前記細目情報は時字又は切分目盛中の１つによって構成されていることを特徴とする請求項１から請求項３のいずれか一項に記載のアナログ腕時計。
【請求項５】
前記モードはワールドタイムモードであり、前記細目情報は都市コードによって構成されていることを特徴とする請求項１から請求項４のいずれか一項に記載のアナログ腕時計。
【請求項６】
前記モードは電波モードであり、前記細目情報は電波状況を示す文字又は図形によって構成されていることを特徴とする請求項１から請求項５のいずれか一項に記載のアナログ腕時計。
【発明の詳細な説明】
【技術分野】
【０００１】
本発明は、腕時計に関し、特に、文字板の読み取り性を向上したアナログ腕時計に係わる。
【背景技術】
【０００２】
近年、アナログ腕時計として、文字板のインジケータ針の回りに複数種目のインジケータが表示され、例えば、モード切り替えを行った際に、インジケータ針が指示するインジケータ部分の情報をユーザが読み取ることによって、必要な情報を得られるようにしたものが知られている。
このインジケータの具体例としては、時字や切分目盛の他に、都市コードや電波状況を示すインジケータが挙げられる（例えば、特許文献１）。
【先行技術文献】
【特許文献】
【０００３】
【特許文献１】特開２００８−２０３１３４号公報
【発明の概要】
【発明が解決しようとする課題】
【０００４】
ところで、このようなアナログ腕時計においては、小さい文字板に複数種目のインジケータが密度高く表示されているため、インジケータ自体が見にくく、その上、複数種目のインジケータが同心的に表示されたものでは、ユーザ自らが所望モードを選択しているにも拘わらず、インジケータ針がどのインジケータ部分を指示しているのかを判別しにくい場合も多々ある。特に、ユーザが普段から慣れ親しんでいるモードを選択する場合は兎も角、ユーザが普段あまり使用しないか、偶にしか使用しないモードを選択した場合は尚更である。
本発明の課題は、文字板の読み取り性に優れたアナログ腕時計を提供することにある。
【課題を解決するための手段】
【０００５】
請求項１の発明は、
複数種目のモードの中で現在どの種目のモードにあるかを表示するためのモード指標部が設けられ、該モード指標部の中又は脇に、該モード指標部に対応するモードに関連する細目情報が表記されている文字板と、
前記複数種目のモードにそれぞれ対応するモード指標部を種目毎に点灯可能に構成された照明手段と、
所定の軸を中心に回転可能に構成され前記細目情報を指示するためのインジケータ針と、
前記インジケータ針を回転させるインジケータ針駆動手段と、
前記複数種目のモードの中の一種目のモードがユーザ又は自動で選択された際に、前記照明手段を制御して、ユーザ又は自動で選択された一種目のモードに対応する前記モード指標部を点灯させるとともに、前記インジケータ針駆動手段を制御して、前記点灯したモード指標部に対応するモードに関連する前記細目情報を前記インジケータ針にて指示させる制御手段と、
を備えることを特徴とするアナログ腕時計である。
【０００６】
請求項２の発明は、請求項１に記載のアナログ腕時計において、前記制御手段は、前記複数種目のモードの中のモードがユーザ又は自動で選択された際に、前記照明手段及び前記インジケータ針駆動手段を制御して、選択されたモードに対応する前記モード指標部として前記細目情報を点灯させるとともに、該細目情報の中の１つを前記インジケータ針に指示させることを特徴とする。
【０００７】
請求項３の発明は、請求項１又は請求項２に記載のアナログ腕時計において、前記文字板は、前記モード指標部が設けられている箇所が透明部分となっており、前記照明手段は、前記透明部分の裏側に設けられていることを特徴とする。
【０００８】
請求項４の発明は、請求項１から請求項３のいずれか一項に記載のアナログ腕時計において、前記モードは時刻モードであり、前記細目情報は時字又は切分目盛中の１つによって構成されていることを特徴とする。
【０００９】
請求項５の発明は、請求項１から請求項４のいずれか一項に記載のアナログ腕時計において、前記モードはワールドタイムモードであり、前記細目情報は都市コードによって構成されていることを特徴とする。
【００１０】
請求項６の発明は、請求項１から請求項５のいずれか一項に記載のアナログ腕時計において、前記モードは電波モードであり、前記細目情報は電波状況を示す文字又は図形によって構成されていることを特徴とする。
【発明の効果】
【００１１】
本発明によれば、ユーザによって又は自動的にモードが選択された際に、選択されたモードに対応するモード指標部が点灯されるとともに、選択されたモードに関連する所定の細目情報が該インジケータ針によって指示されるので、ユーザはどの細目表示を読めば良いかを直ぐに判断できる。
【図面の簡単な説明】
【００１２】
【図１】本発明の実施形態に係るアナログ腕時計の本体の正面図である。
【図２】図１のアナログ腕時計の一部を側方から見た場合の断面図である。
【図３】図１のアナログ腕時計の回路構成図である。
【図４】図１の腕時計本体の時刻モード時の正面図である。
【図５】図１の腕時計本体の電波モード時の正面図である。
【図６】図１の腕時計本体のワールドタイムモード時の正面図である。
【発明を実施するための形態】
【００１３】
［第１の実施形態］
このアナログ腕時計１００は、図１及び図２に示すように、腕時計ケース１を備えている。この腕時計ケース１の上部には時計ガラス２が取り付けられている。また、腕時計ケース１の内部には、時計モジュール３が収納されており、腕時計ケース１の下面には、裏蓋４が防水リング４ａを介して取り付けられている。さらに、この腕時計ケース１の３時側と９時側の各側面には第１〜第４操作子５ａ〜５ｄ（特定しない場合には操作子５を用いる。）が取り付けられている。また、腕時計ケース１の内部には文字板１２が設けられている。また、この文字板１２の上にはインジケータ針１０ａ、分針１０ｂ、時針１０ｃが設けられている。
【００１４】
文字板１２は、文字板本体１３と、第１の見切り部材１４と、第２の見切り部材１５とによって構成されている。
【００１５】
図１及び図４に示すように、文字板本体１３の上には円周に沿って時字１３ａが１時間毎に表示されている。このうち１２時を示す時字１３ａは時刻モード時の細目情報を構成している。
【００１６】
また、第１の見切り部材１４は環状に形成され、図２に示すように、文字板本体１３における時字１３ａの外側部分の表面を覆うように設置されている。この第１の見切り部材１４の表面は斜面となっており、文字板本体１３の中心に向けて下り勾配を有している。この第１の見切り部材１４の表面には、図１及び図５に示すように、切分目盛１４ａが表示されているとともに、その切分目盛１４ａ内に、電波状況を示す文字１４ｂが表示されている。このうち文字１４ｂは、電波モード時の細目情報を構成している。この「電波モード」とは、標準電波の状況をユーザに知らせる際のモードである。
この文字１４ｂとしては、「Ｙ」、「Ｎ」、「Ｒ」、「Ｗ」、「ＯＮ」、「ＯＦＦ」の文字が表示されている。ここで、「Ｙ」は電波受信成功、「Ｎ」は電波受信失敗、「Ｒ」は電波受信準備中、「Ｗ」は電波受信中、「ＯＮ」は電波受信状態、「ＯＦＦ」は電波非受信状態を表している。
【００１７】
また、第２の見切り部材１５は環状に形成され、図２に示すように、第１の見切り部材１４における切分目盛１４ａ及び文字１４ｂの外側部分の表面を覆うように設置されている。この第２の見切り部材１５の表面は斜面となっており、文字板本体１３の中心に向けて下り勾配を有している。この第２の見切り部材１５の表面には、図１及び図６に示すように、複数の都市コード１５ａが表示されている。複数の都市コード１５ａは、ワールドタイムモード時の細目情報を構成している。「ワールドタイムモード」とは、世界各都市の時間をユーザに知らせる際のモードである。
【００１８】
上記文字板１２（つまり文字板本体１３，第１の見切り部材１４及び第２の見切り部材１５）は透明材料によって形成されている。この文字板１２には第１〜第３のモード指標部２０Ａ，２０Ｂ，２０Ｃが設けられている。なお、文字板１２は第１〜第３のモード指標部２０Ａ，２０Ｂ，２０Ｃが設けられる箇所だけ透明であってもよい。
【００１９】
第１のモード指標部２０Ａは文字板本体１３に設けられている。
すなわち、文字板本体１３の下側には、第１の見切り部材１４の直ぐ内側となる位置に、ＥＬシート２０ａが設置されている。このＥＬシート２０ａは円環状となっており、ちょうど時字１３ａの直下に位置するよう文字板本体１３の全周に亘って設けられている。このＥＬシート２０ａの電極（図示せず）は時計モジュール８の回路基板（図示せず）に接続されている。このＥＬ発光シート２０ａは、基板に形成された電極で挟まれた有機材料が電気を通すことによって励起され発光するものである。上記文字板本体１３において、このＥＬ発光シート２０ａの発光により点灯し顕在化した部分が第１のモード指標部２０Ａを構成している。
【００２０】
また、第２のモード指標部２０Ｂは第１の見切り部材１４に設けられている。
すなわち、第１の見切り部材１４の下側にはＥＬシート２０ｂが設置されている。このＥＬシー２０ｂは円環状となっており、切分目盛１４ａ及び文字１４ｂの直下に位置するよう第１の見切り部材１４の全周に亘って設けられている。このＥＬ発光シート２０ｂは、基板に形成された電極で挟まれた有機材料が電気を通すことによって励起され発光するものである。上記第１の見切り部材１４において、このＥＬ発光シート２０ｂの発光により点灯し顕在化した部分が第２のモード指標部２０Ｂを構成している。
【００２１】
また、第３のモード指標部２０Ｃは第２の見切り部材１５に設けられている。
すなわち、第２の見切り部材１５の下側にはＥＬシート２０ｃが設置されている。このＥＬシー２０ｃは円環状となっており、都市コード１５ａの直下に位置するよう第２の見切り部材１５の全周に亘って設けられている。このＥＬ発光シート２０ｃは、基板に形成された電極で挟まれた有機材料が電気を通すことによって励起され発光するものである。上記第２の見切り部材１５において、このＥＬ発光シート２０ｃの発光により点灯し顕在化した部分が第３のモード指標部２０Ｃを構成している。
【００２２】
次に、図３のブロック図を参照して、このアナログ腕時計の回路構成について説明する。
この回路構成は、回路全般を制御するＣＰＵ（中央演算処理装置）３５、予め定められたプログラム（モード処理プログラムを含む。）が格納されたＲＯＭ（リードオンリーメモリ）３６、処理データを格納するＲＡＭ（ランダムアクセスメモリ）３７、ＣＰＵ３５を動作させるためのパルスを生成する発振回路３８、この発振回路３８で生成したパルスを適正な周波数（ＣＰＵ３５を動作させるための適正な周波数）に変換する分周回路３９、指針（インジケータ針１０ａ、分針１０ｂ、時針１０ｃ）を運針させる時計ムーブメント８、針合わせのための歯車位置検出部１３を備えている。時計ムーブメント８は請求項に言うインジケータ針駆動手段を構成している。また、ＣＰＵ３５及びプログラムは請求項に言う制御部を構成している。
【００２３】
さらに、この回路構成は、上記のほかに、電池などの電源部４０、標準時刻電波を受信するアンテナ４１、受信した標準時刻電波を検波処理する検波回路４２、ＥＬ発光シート２０ａ，２０ｂ，２０ｃから構成される照明部４３、この照明部４３を駆動するための照明駆動回路４４、報音をするスピーカ４５、このスピーカ４５を駆動するめのブザー回路４６を備えている。このうち照明部４３及び照明駆動回路４４は照明手段を構成している。
【００２４】
続いて、このアナログ腕時計１００の動作を説明する。このアナログ腕時計１００は、少なくとも、時刻モード、電波モード及びワールドワイドタイムモードを有している。
【００２５】
（時刻モード）
所定の操作子５を操作すると時刻モードとなる。
この時刻モードでは、ＣＰＵ３５は、照明部４３及び照明駆動回路４４を制御して、図４に示すように、ＥＬ発光シート２０ａを発光させて第１のモード指標部２０Ａを点灯させる。同時に、ＣＰＵ３５は、時計ムーブメント８を制御して、図４に示すように、インデックス針１０ａを１２時位置まで回転させた後に停止させる。
図４に示す場合は、インデックス針１０ａが１２時位置にあり、第１のモード指標部２０Ａのみが点灯していることによって、ユーザは現在、時刻モードであり、インデックス針１０ａが指し示している位置から、１２時であることを認識することができる。 
【００２６】
（電波モード）
所定の操作子５を操作した場合、あるいは自動受信の際には自動的に電波モードとなる。
この電波モードでは、ＣＰＵ３５は、照明部４３及び照明駆動回路４４を制御して、図５に示すように、ＥＬ発光シート２０ｂを発光させて第２のモード指標部２０Ｂを点灯させる。そして、ＣＰＵ３５は、時計ムーブメント８を制御して、図５に示すように、インデックス針１０ａを「Ｙ」、「Ｎ」、「Ｒ」、「Ｗ」、「ＯＮ」、「ＯＦＦ」のいずれかの位置まで回転させた後に停止させる。
図５に示す場合は、インデックス針１０ａが電波受信準備中を示す「Ｒ」の位置にあり、第２のモード指標部２０Ｂのみが点灯していることによって、ユーザは、現在、電波受信準備中の電波モードにあり、インデックス針１０ａが指し示している「Ｒ」から、電波受信準備中であることを認識することができる。
【００２７】
（ワールドタイムモード）
所定の操作子５を操作するとワールドタイムモードとなる。
このワールドタイムモードでは、ＣＰＵ３５は、照明部４３及び照明駆動回路４４を制御して、図６に示すように、ＥＬ発光シート２０ｂを発光させて第３のモード指標２０Ｃを点灯させる。この状態で、所定の操作子５を操作すると、ＣＰＵ３５は、時計ムーブメント８を制御して、インデックス針１０ａを回転させ、該操作子５の操作毎に、インデックス針１０ａが都市コード１３ａを１つずつ順送りで指示する。秒針１３ａが所望の都市コード１３ａを指示した所で、所定の操作子５を操作すれば、該都市コード１３ａに対応した時間が表示される。
図６に示す場合は、インデックス針１０ａが「ＳＹＤＮＥＹ（シドニー）」の位置にあり、第３のモード指標部２０Ｃのみが点灯していることによって、ユーザは、現在、ワールドタイムモードであり、インデックス針１０ａが指し示している位置から、「ＳＹＤＮＥＹ（シドニー）」の時刻であることを認識することができる。
【００２８】
以上、本発明の実施形態について説明したが、本発明は、その要旨を逸脱しない範囲で種々の変形が可能である。
【００２９】
上記実施形態では、時刻モード時に、文字板本体１３の全周に亘る第１のモード指標部２０Ａを点灯させたが、時字１３ａが表記されている部分だけを点灯させるようにしてもよい。
【００３０】
また、上記実施形態では、電波モード時に、第１の見切り部材１４の全周に亘る第２のモード指標部２０Ｂを点灯させたが、文字１４ｂが表記されている部分だけを点灯させるようにしてもよい。この場合には、時刻モード時に切目目盛１４ａを点灯させてもよい。
【００３１】
また、上記実施形態では、モード指標部の中に細目情報が標記されていたが、モード指標部の脇に細目情報が表記されていてもよい。
【符号の説明】
【００３２】
１  腕時計ケース
５，５ａ〜５ｄ  操作子
１０ａ  インジケータ針
１２  文字板
１３  文字板本体
１４  第１の見切り部材
１５  第２の見切り部材
２０Ａ  第１のモード指標部
２０Ｂ  第２のモード指標部
２０Ｃ  第３のモード指標部
２０ａ〜２０ｃ  ＥＬ発光シート
４３  照明部
４４  照明駆動回路
【図１】
2011163857.tif 000003
【図２】
2011163857.tif 000004
【図３】
2011163857.tif 000005
【図４】
2011163857.tif 000006
【図５】
2011163857.tif 000007
【図６】
2011163857.tif 000008